(57)【要約】【課題】制御システムで制御されているフィールド機器を管理する機器管理装置におけるフィールド機器の定義情報が、手間をかけずに作製できるようにする。【解決手段】機器管理データ生成部１０２は、フィールド機器１１２の機器タグ情報の項目を含み、機器管理装置１１１においてフィールド機器１１２を定義するための項目をポイント定義データに追加した機器定義データを生成する。表示制御部１０４は、機器定義データの機器タグ情報の項目に機器タグ情報の入力をするための表示データの生成および表示を制御する。表示制御部１０４の制御により、表示制御部１０４が生成した表示データが表示部１０５に表示される。【選択図】  図１
2014142823.tif 000002
【特許請求の範囲】
【請求項１】
制御システムと第１ネットワークを介して接続する対象機器の接続タグ情報の項目を含む接続状態を示すポイント定義データが記憶されたポイント定義データ記憶部と、
前記対象機器の機器タグ情報の項目を含み、前記対象機器と第２ネットワークを介して接続する機器管理装置において前記対象機器を定義するための項目を前記ポイント定義データに追加した機器定義データを生成する機器管理データ生成部と、
前記機器管理データ生成部が生成した前記機器定義データを記憶する機器定義データ記憶部と、
前記機器定義データの前記機器タグ情報の項目に機器タグ情報の入力をするための表示データの生成および表示を制御する表示制御部と、
前記表示制御部が生成した表示データを表示する表示部と、
前記機器定義データの前記機器タグ情報の項目を含む項目に対するデータ入力を受け付けるデータ入力部と、
前記データ入力部が受け付けた入力データを前記機器定義データ記憶部に記憶されている前記機器定義データに反映させるデータ設定部と
を備えることを特徴とするデータ作成装置。
【請求項２】
制御システムと第１ネットワークを介して接続する対象機器の接続タグ情報の項目を含む接続状態を示すポイント定義データをポイント定義データ記憶部に記憶するポイント定義データ記憶ステップと、
前記対象機器の機器タグ情報の項目を含み、前記対象機器と第２ネットワークを介して接続する機器管理装置において前記対象機器を定義するための項目を前記ポイント定義データに追加した機器定義データを生成する機器管理データ生成ステップと、
前記機器管理データ生成ステップで生成された前記機器定義データを機器定義データ記憶部に記憶する機器定義データ記憶ステップと、
前記機器定義データの前記機器タグ情報の項目に機器タグ情報の入力をするための表示データの生成および表示を制御する表示制御ステップと、
前記表示制御ステップで生成された表示データを表示する表示ステップと、
前記機器定義データの前記機器タグ情報の項目を含む項目に対するデータ入力を受け付けるデータ入力ステップと、
前記データ入力ステップで受け付けられた入力データを前記機器定義データ記憶部に記憶されている前記機器定義データに反映させるデータ設定ステップと
を備えることを特徴とするデータ作成方法。
【発明の詳細な説明】
【技術分野】
【０００１】
本発明は、機器管理装置に用いる設定データの作成を行うデータ作成装置および方法に関するものである。
【背景技術】
【０００２】
例えば、建築物に付帯している各設備の監視制御や、プラントなどの制御には制御システムが用いられ、さらに機器管理装置が用いられている場合がある（特許文献１参照）。例えば、機器管理装置は、フィールドバスなどのネットワークにより接続している現場に設置されたプロセス機器や各種センサなどのフィールド機器との間で信号をやりとりし、従来では可搬型端末を現場でフィールド機器に直結して行っていた較正を上位からのパラメータ設定で行い、また、フィールド機器が正常に動作している状態に関する診断結果を表示している。
【０００３】
このような制御システムや機器管理装置において、例えば制御対象の構成が変更された場合などは、システムに設定する制御プログラムを変更し、また機器管理装置に設定するフィールド機器構成を変更するなどのエンジニアリング作業が発生する。上述した制御においては、多くの制御対象があり、エンジニアリング作業では、対象となるデータも非常に大量なものとなる。従って、エンジニアリング作業では、大量のデータ編集に優れた市販のツール（ソフトウエア）を用いてデータの編集，変更などの作業を行い、作成された新たなデータを制御プログラムやフィールド機器構成に反映させている。
【０００４】
また、現在では、上述したアナログ制御信号上にデジタル信号を重畳し、フィールド機器のセカンダリ測定値（例えば、圧力計における温圧補正のための温度）や、フィールド機器の設定パラメータなどの「付加情報」を、機器管理装置との間で送受信するネットワークシステムも開発されている。このネットワークシステムは、ＨＡＲＴ（Highway Addressable Remote Transducer；登録商標）通信と呼ばれ、ＨＡＲＴ通信仕様に準拠した機器の採用が増えてきている。
【０００５】
当初は、ＨＡＲＴ通信仕様のハンディターミナルによるレンジ設定など、フィールド機器のパラメータ設定が、主な目的であったが、近年は、フィールド機器による自己診断についての仕様化が行われている。例えば、機器管理装置に加えられた「機器管理ステーション」上で、フィールド機器自己診断情報を監視することも主な目的の１つとなってきている。このような構成におけるエンジニアリング作業の１つに、制御システムとフィールド機器との通信、および機器管理装置とフィールド機器との通信の両者が正常に行われていることの確認作業がある。
【先行技術文献】
【特許文献】
【０００６】
【特許文献１】特開２０１２−０１４３８８号公報
【発明の概要】
【発明が解決しようとする課題】
【０００７】
ところで、上述した確認は、制御システムからの信号、および機器管理装置からの信号の両者が、フィールド機器で受け付けられていることにより行われている。例えば、担当者が、フィールド機器の設置場所に移動し、フィールド機器における信号の受付状態をモニタなどにより確認している。このため、エンジニアリング作業に手間を要している。
【０００８】
ここで、例えば、制御システムからフィールド機器に送出された信号を、フィールド機器を介して機器管理装置でフィールド機器を識別した状態で受信できれば、上述した確認をフィールド機器設置箇所にまで行くことなく、容易に行えるようになる。しかしながら、このためには、制御システムにおけるフィールド機器の識別状態が、機器管理装置の側で認識されていることが必要となる。これを実現するためには、機器管理装置で用いられる機器定義データに、制御システムで用いられているフィールド機器の識別情報（タグ情報）を追加する必要がある。
【０００９】
しかしながら、対象となるフィールド機器は非常に多いため、上述した情報の追加のためには、膨大な時間が必要となる。このように、従来では、制御システムで制御されているフィールド機器を管理する機器管理装置におけるフィールド機器の定義情報の作成に、手間を要するという問題があった。
【００１０】
本発明は、以上のような問題点を解消するためになされたものであり、制御システムで制御されているフィールド機器を管理する機器管理装置におけるフィールド機器の定義情報が、手間をかけずに作製できるようにすることを目的とする。
【課題を解決するための手段】
【００１１】
本発明に係るデータ作成装置は、制御システムと第１ネットワークを介して接続する対象機器の接続タグ情報の項目を含む接続状態を示すポイント定義データが記憶されたポイント定義データ記憶部と、対象機器の機器タグ情報の項目を含み、対象機器と第２ネットワークを介して接続する機器管理装置において対象機器を定義するための項目をポイント定義データに追加した機器定義データを生成する機器管理データ生成部と、機器管理データ生成部が生成した機器定義データを記憶する機器定義データ記憶部と、機器定義データの機器タグ情報の項目に機器タグ情報の入力をするための表示データの生成および表示を制御する表示制御部と、表示制御部が生成した表示データを表示する表示部と、機器定義データの機器タグ情報の項目を含む項目に対するデータ入力を受け付けるデータ入力部と、データ入力部が受け付けた入力データを機器定義データ記憶部に記憶されている機器定義データに反映させるデータ設定部とを備える。
【００１２】
また、本発明に係るデータ作成方法は、制御システムと第１ネットワークを介して接続する対象機器の接続タグ情報の項目を含む接続状態を示すポイント定義データをポイント定義データ記憶部に記憶するポイント定義データ記憶ステップと、対象機器の機器タグ情報の項目を含み、対象機器と第２ネットワークを介して接続する機器管理装置において対象機器を定義するための項目をポイント定義データに追加した機器定義データを生成する機器管理データ生成ステップと、機器管理データ生成ステップで生成された機器定義データを機器定義データ記憶部に記憶する機器定義データ記憶ステップと、機器定義データの機器タグ情報の項目に機器タグ情報の入力をするための表示データの生成および表示を制御する表示制御ステップと、表示制御ステップで生成された表示データを表示する表示ステップと、機器定義データの機器タグ情報の項目を含む項目に対するデータ入力を受け付けるデータ入力ステップと、データ入力ステップで受け付けられた入力データを機器定義データ記憶部に記憶されている機器定義データに反映させるデータ設定ステップとを備える。
【発明の効果】
【００１３】
以上説明したことにより、本発明によれば、  制御システムで制御されているフィールド機器を管理する機器管理装置におけるフィールド機器の定義情報が、手間をかけずに作成できるようになるという優れた効果が得られる。
【図面の簡単な説明】
【００１４】
【図１】図１は、本発明の実施の形態におけるデータ作成装置１００の構成を示す構成図である。
【図２】図２は、本発明の実施の形態におけるデータ作成方法を説明するフローチャートである。
【図３】図３は、表示部１０５における表示状態を示す構成図である。
【図４】図４は、表示状態を示す構成図である。
【発明を実施するための形態】
【００１５】
以下、本発明の実施の形態について図を参照して説明する。図１は、本発明の実施の形態におけるデータ作成装置１００の構成を示す構成図である。データ作成装置１００は、ポイント定義データ記憶部１０１，機器管理データ生成部１０２，機器定義データ記憶部１０３，表示制御部１０４，表示部１０５，データ入力部１０６，データ設定部１０７，機器データ記憶部１０８を備える。
【００１６】
データ作成装置１００には、機器管理装置１１１が接続され、データ作成装置１００で作製されたデータを用いてフィールド機器１１２の機器管理を行う。また、フィールド機器１１２は、制御システム１１３により制御されている。ここで、フィールド機器１１２は、ネットワーク（第１ネットワーク）１２１を介して制御システム１１３に接続している。また、フィールド機器１１２は、ＨＡＲＴ通信ネットワーク（第２ネットワーク）１２２を介して機器管理装置１１１に接続している。なお、図１では省略しているが、複数のフィールド機器１１２が、各ネットワークに接続している。
【００１７】
ポイント定義データ記憶部１０１は、対象となるフィールド機器１１２の接続タグ情報の項目を含む接続状態を示すポイント定義データが記憶されている。ポイント定義データ記憶部１０１は、例えば、以下の表１に示すような、ポイント定義データを記憶している。表１において、「ポイントタグ」は、接続タグ情報の項目である。「タイプ」は、フィールド機器１１２のタイプを示す。「コントローラ番号」，「ＩＯＭ（Ｉ／Ｏモジュール）番号」，「スロット番号」は、ネットワーク１２１におけるフィールド機器１１２の接続割り当て情報である。また、「工業単位」，「ＰＶ（process value）上限レンジ」，「ＰＶ下限レンジ」は、フィールド機器１１２における処理情報である。
【００１８】
【表１】
2014142823.tif 000003
【００１９】
機器管理データ生成部１０２は、フィールド機器１１２の機器タグ情報の項目を含み、機器管理装置１１１においてフィールド機器１１２を定義するための項目をポイント定義データに追加した機器定義データを生成する。
【００２０】
機器定義データ記憶部１０３は、機器管理データ生成部１０２が生成した機器定義データを記憶する。例えば、以下の表２に示すような機器定義データが、機器定義データ生成部１０２により生成されて機器定義データ記憶部１０３に記憶される。以下の例では、機器管理装置１１１においてフィールド機器１１２を識別する機器タグ情報の項目である「デバイスタグ」、フィールド機器１１２の製造元を識別する項目である「ベンダ」、フィールド機器１１２の種類を特定する項目である「デバイスタイプ」、用いられるＨＡＲＴ通信のバージョンを示す項目である「ＨＡＲＴバージョン」が追加されている。
【００２１】
【表２】
2014142823.tif 000004
【００２２】
表示制御部１０４は、機器定義データの機器タグ情報の項目に機器タグ情報の入力をするための表示データの生成および表示を制御する。表示制御部１０４の制御により、表示制御部１０４が生成した表示データが表示部１０５に表示される。
【００２３】
データ入力部１０６は、例えば、キーボードなどであり、ユーザの操作による種々のデータ入力を受け付ける。受け付ける（入力される）データは、機器定義データの機器タグ情報の項目を含む項目に対するデータである。このようにしてデータ入力部１０６が受け付けた入力データは、データ設定部１０７が、機器定義データ記憶部１０３に記憶されている機器定義データに反映させる。
【００２４】
例えば、表示制御部１０４の制御により、デバイスタグの入力を求める表示データが表示部１０５に表示される。この表示データによれば、レコード毎に、接続タグ情報（ポイントタグ）が表示される。１つのレコードに１つのフィールド機器が対応する。このような入力を求める表示に対応し、ユーザは、レコード毎に機器タグ情報（デバイスタグ）を入力する。
【００２５】
このユーザの入力操作により、データ作成装置１００（データ設定部１０７）は、入力されたデバイスタグに対応する「ベンダ」、「デバイスタイプ」、「ＨＡＲＴバージョン」のデータを機器データ記憶部１０８より取り出す。機器データ記憶部１０８は、デバイスタグに対応するベンダ情報，デバイスタイプ，ＨＡＲＴバージョンが記憶されている。このようにして、ユーザの操作により入力されたデータおよび機器データ記憶部１０８より取り出されたデータが組み込まれることで、次の表３に示すように、機器定義データが完成する。なお、追加された各項目全てについて、ユーザが入力したデータを組み込んでもよい。
【００２６】
【表３】
2014142823.tif 000005
【００２７】
次に、本発明の実施の形態におけるデータ作成装置の動作（データ作成方法）について、図２のフローチャートを用いて説明する。
【００２８】
まず、ステップＳ１０１で、フィールド機器１１２の接続タグ情報の項目を含む接続状態を示すポイント定義データをポイント定義データ記憶部１０１に記憶する（ポイント定義データ記憶ステップ）。例えば、ユーザによるデータ入力部１０６の操作により、ポイント定義データがポイント定義データ記憶部１０１に記憶される。
【００２９】
次に、ステップＳ１０２で、機器管理データ生成部１０２が、フィールド機器１１２の機器タグ情報の項目を含み、機器管理装置１１１においてフィールド機器１１２を定義するための項目をポイント定義データに追加した機器定義データを生成する（機器管理データ生成ステップ）。
【００３０】
次に、ステップＳ１０３で、機器管理データ生成部１０２が、ステップＳ１０２で生成した機器定義データを機器定義データ記憶部１０３に記憶する（機器定義データ記憶ステップ）。
【００３１】
次に、ステップＳ１０４で、表示制御部１０４が、機器定義データの機器タグ情報の項目に機器タグ情報の入力をするための表示データを生成するなどの表示の制御を行う（表示制御ステップ）。次に、ステップＳ１０５で、ステップＳ１０４で生成された表示データを、表示部１０５に表示する（表示ステップ）。例えば、図３に示すように、表示部１０５に、データの入力のための表示（ウインド表示）がなされる。この表示では、少なくともデバイスタグの入力が求められる。
【００３２】
次に、ステップＳ１０６で、データ入力部１０６が、機器定義データの機器タグ情報の項目を含む項目に対するデータ入力を受け付ける（データ入力ステップ）。例えば、図３に示す表示のいずれかの項目に対する、ユーザのデータ入力部１０６の操作によるデータ入力を待機する。
【００３３】
ここで、データが入力されると（ステップＳ１０６のｙ）、ステップＳ１０７で、入力データを機器定義データ記憶部１０３に記憶されている機器定義データに反映させる（データ設定ステップ）。このとき、ユーザの操作によりデバイスタグの項目にデータ入力がなされると、データ設定部１０７により、入力されたデバイスタグに対応する「ベンダ」、「デバイスタイプ」、「ＨＡＲＴバージョン」のデータが機器データ記憶部１０８より取り出されて自動的に組み込まれる。
【００３４】
また、例えば、図３に示す表示の中で「ＨＡＲＴ通信設定」のタグが選択されると、図４に示すように、「ＨＡＲＴ通信設定」のモード表示となり、ＨＡＲＴ通信設定に対応するデータが入力可能となる。以上のようにして、全項目の入力がなされると（ステップＳ１０８のｙ）、動作を終了する。
【００３５】
以上に説明したように、本発明によれば、制御システムで用いられるポイント定義データに、機器管理装置において対象機器を定義するための項目を追加した機器定義データを生成するようにしたので、制御システムで制御されているフィールド機器を管理する機器管理装置におけるフィールド機器の定義情報が、手間をかけずに作成できるようになる。
【００３６】
また、このような機器定義データを用いることで、機器管理装置の側で制御システムで用いているフィールド機器の識別情報が認識されるので、ＨＡＲＴ信号による機器管理装置からフィールド機器への指示値を、制御システムが制御に用いているアナログ信号で正しく得ることができるかを確認するループチェックが行えるようになる。このようなループチェックが行えることで、フィールド機器の設置場所に移動することが必要なくなり、エンジニアリングの工数を減らすことができるようになる。
【００３７】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３８】
１００…データ作成装置、１０１…ポイント定義データ記憶部、１０２…機器管理データ生成部、１０３…機器定義データ記憶部、１０４…表示制御部、１０５…表示部、１０６…データ入力部、１０７…データ設定部、１０８…機器データ記憶部、１１１…機器管理装置、１１２…フィールド機器、１１３…制御システム、１２１…ネットワーク（第１ネットワーク）、１２２…ＨＡＲＴ通信ネットワーク（第２ネットワーク）。
【図１】
2014142823.tif 000006
【図２】
2014142823.tif 000007
【図３】
2014142823.tif 000008
【図４】
2014142823.tif 000009